(57)【要約】【課題】携帯電話端末に記録されている電話帳や履歴などの情報を非携帯電話端末で自由に利用することが可能な電話番号検索方法及びそのシステムを提供する。【解決手段】携帯電話端末と非携帯電話端末とが接続されると、携帯電話端末に記録されている電話帳情報、着信履歴情報、送信履歴情報が携帯電話から非携帯電話端末に送信される。そして、非携帯電話端末では、利用者による電話番号の検索や着信した電話の送信元の検索を、非携帯電話端末に記録されている情報を用いて行う。【選択図】  図１
2004328371.tif 000002
【特許請求の範囲】
【請求項１】
携帯電話端末と非携帯電話端末とを接続し、
前記携帯電話端末に記録されている電話番号及び該電話番号の相手先を示す電話帳情報を該携帯電話端末から前記非携帯電話端末に送信し、
前記携帯電話端末から送信された前記電話帳情報を前記非携帯電話端末に記録し、
前記非携帯電話端末に記録された前記電話帳情報を用いて該非携帯電話端末で電話番号を検索し、
前記検索で得られた電話番号を発信する
ことを特徴とする電話番号検索方法。
【請求項２】
前記携帯電話端末に着信した電話番号の履歴を示す着信履歴情報と前記携帯電話端末から発信した電話番号の履歴を示す発信履歴情報を前記携帯電話端末から前記非携帯電話端末に記録し、
前記携帯電話端末から送信された前記発信履歴情報及び前記着信履歴情報を前記非携帯電話端末に記録し、
前記非携帯電話端末に記録された前記電話帳情報、前記発信履歴情報及び前記着信履歴情報を用いて該非携帯電話端末で電話番号の検索を行う
ことを特徴とする請求項１記載の電話番号検索方法。
【請求項３】
前記携帯電話端末と前記非携帯電話端末との接続の切断を検出すると、
前記非携帯電話端末に記録されている前記電話帳情報を消去する
ことを特徴とする請求項１又は２記載の電話番号検索方法。
【請求項４】
前記非携帯電話端末に生じた着信の発信者通知番号を前記非携帯電話端末に記録されている前記電話帳情報から検索し、
前記検索の結果を前記非携帯通信端末の表示部に表示する
ことを特徴とする請求項１記載の電話番号検索方法。
【請求項５】
前記携帯電話端末を識別するＩＤ情報を該携帯電話端末から前記非携帯電話端末に送信し、
前記ＩＤ情報に関連付けて前記電話帳情報を前記非携帯電話端末に記録し、
前記ＩＤを有する前記携帯電話端末が前記非携帯電話端末と接続している間は、該ＩＤ情報に関連付けて記録されている前記電話帳情報を用いて該非携帯電話端末で検索を行うことを可能とする
ことを特徴とする請求項１記載の電話番号検索方法。
【請求項６】
携帯電話端末に記録されている電話番号及び該電話番号の相手先を示す電話帳情報を用いて非携帯電話端末で電話番号を検索する電話番号検索システムにおいて、
前記携帯電話端末と前記非携帯電話端末とを接続する接続手段と、
前記接続を検出する接続検出手段と、
前記携帯電話端末に記録されている前記電話帳情報を前記非携帯電話端末に送信する送信手段と、
前記送信手段により送信された前記電話帳情報を前記非携帯電話端末に記録する記録手段と、
前記非形態電話端末に記録されている前記電話帳情報を用いて該非携帯電話端末で電話番号の検索を行う検索手段と、
前記検索手段で得られた電話番号を発信する発信手段と
を具備することを特徴とする電話番号検索システム。
【請求項７】
前記送信手段は、前記携帯電話端末に着信した電話番号の履歴を示す着信履歴情報と前記携帯電話端末から発信した電話番号の履歴を示す発信履歴情報をさらに送信し、
前記記録手段は、前記発信履歴情報及び前記着信履歴情報をさらに記録し、
前記検索手段は、前記非携帯電話端末に記録された前記電話帳情報、前記発信履歴情報及び前記着信履歴情報を用いて電話番号の検索を行う
ことを特徴とする請求項６記載の電話番号検索システム。
【請求項８】
前記記録手段は、前記接続検出手段が前記携帯電話端末と前記非携帯電話端末との接続を検出しなくなると、該非携帯電話端末に記録されている前記電話帳情報を消去することを特徴とする請求項６又は７記載の電話番号検索システム。
【請求項９】
前記非携帯電話端末に生じた着信の発信者通知番号を前記非携帯電話端末に記録されている前記電話帳情報から検索する発信者検索手段と、
前記検索の結果を前記非携帯通信端末に表示する表示手段と
をさらに具備することを特徴とする請求項６記載の電話番号検索システム。
【請求項１０】
前記送信手段は、前記携帯電話端末を識別するＩＤ情報を該携帯電話端末から前記非携帯電話端末に送信し、
前記記録手段は、前記ＩＤ情報に関連付けて前記電話帳情報を前記非携帯電話端末に記録し、
前記検索手段は、前記接続検出手段が前記ＩＤを有する前記携帯電話端末と前記非携帯電話端末との接続を検出すると、該ＩＤ情報に関連付けて記録されている前記電話帳情報を用いて該非携帯電話端末で検索を行う
ことを特徴とする請求項６記載の電話番号検索システム。
【発明の詳細な説明】
【０００１】
【発明の属する技術分野】
本発明は、電話番号検索方法及びそのシステムに関し、特に携帯電話端末に記録されている電話番号や着信・送信履歴を非携帯電話端末で利用することが可能な電話番号検索方法及びそのシステムに関する。
【０００２】
【従来の技術】
携帯電話端末には、電話番号とその電話番号の相手先の氏名等を関連付けた電話帳情報を記録する機能が設けられているものが多く、電話帳情報から希望する相手先を検索・選択することにより、容易かつ正確に希望する相手先の電話番号を発信することを可能としている。
【０００３】
このとき、携帯電話端末の表示部は面積が狭いため、一度に表示される情報には限りがあるため、大きな文字で十分に検索結果を表示することは困難であり、また、携帯電話端末の操作を行うボタンは、家庭やオフィスなどで利用される一般的な電話機やＩＰ電話端末などの非携帯電話端末に比べて小さく、必ずしも操作性が良いとは言えなかった。
【０００４】
さらに、携帯電話端末が基地局と交信するための電波が十分に届かない場所に位置するオフィスや席などでは、携帯電話端末に記録されている相手先と連絡を取るに際して、携帯電話端末に表示されている電話番号を非携帯電話端末に正確に入力するか、電波が十分に届く位置に移動するなどの手間がかかっていた。
【０００５】
ところで、携帯電話端末やＰＤＡ（ｐｅｒｓｏｎａｌ  ｄｉｇｉｔａｌ  ａｓｓｉｓｔａｎｔ）などの携帯通信端末に記録されている電話帳情報を非携帯電話端末で利用する方法として、携帯通信端末と非携帯電話端末とを通信Ｉ／Ｆ（ｉｎｔｅｒｆａｃｅ）を介して接続し、携帯通信端末に記録されている電話帳情報から希望する相手先を選択し、選択した相手先に非携帯電話端末から発信する方法が提案されている（例えば、特許文献１参照）。
【０００６】
【特許文献１】
特開２００１−９４６６７号公報（段落「００３５」〜「００３７」）
【０００７】
【発明が解決しようとする課題】
しかし、この方法では、携帯通信端末で電話番号の検索を行っているため、操作性の向上は期待できず、非携帯電話端末で自由に電話番号の検索を行うことは、困難であった。
【０００８】
また、非携帯電話端末に着信があった場合は、その電話番号を非携帯電話端末から携帯通信端末に問い合わせ、携帯通信端末側で検索を行うと共に検索結果を携帯通信端末に表示するため、検索時間が長くなると共に、検索結果は、非携帯電話端末の表示部に表示されず、非携帯電話端末に着信があったにも関わらず、携帯通信端末で発信元を確認しなければならなかった。
【０００９】
さらに、電話番号の検索や発信元の表示は、電話帳情報を利用して行うため、非携帯電話端末で利用することが可能な情報は、電話帳情報に記録されている情報のみであり、携帯電話端末の発信履歴や着信履歴にのみ含まれている情報を非携帯電話端末で利用することはできなかった。
【００１０】
そこで本発明では、携帯電話端末に記録されている電話帳や履歴などの情報を非携帯電話端末で自由に利用することが可能な電話番号検索方法及びそのシステムを提供することを目的とする。
【００１１】
【課題を解決するための手段】
本発明における電話番号検索方法は、携帯電話端末と非携帯電話端末とを接続し、携帯電話端末に記録されている電話番号及び該電話番号の相手先を示す電話帳情報を該携帯電話端末から非携帯電話端末に送信し、携帯電話端末から送信された電話帳情報を非携帯電話端末に記録し、非携帯電話端末に記録された電話帳情報を用いて該非携帯電話端末で電話番号を検索し、検索で得られた電話番号を発信する。
【００１２】
また、携帯電話端末に着信した電話番号の履歴を示す着信履歴情報と携帯電話端末から発信した電話番号の履歴を示す発信履歴情報を携帯電話端末から非携帯電話端末に記録し、携帯電話端末から送信された発信履歴情報及び着信履歴情報を非携帯電話端末に記録し、非携帯電話端末に記録された電話帳情報、発信履歴情報及び着信履歴情報を用いて該非携帯電話端末で電話番号の検索を行う。
【００１３】
また、携帯電話端末と非携帯電話端末との接続の切断を検出すると、非携帯電話端末に記録されている電話帳情報を消去する。
【００１４】
また、非携帯電話端末に生じた着信の発信者通知番号を非携帯電話端末に記録されている電話帳情報から検索し、検索の結果を非携帯通信端末の表示部に表示する。
【００１５】
また、携帯電話端末を識別するＩＤ情報を該携帯電話端末から非携帯電話端末に送信し、ＩＤ情報に関連付けて電話帳情報を非携帯電話端末に記録し、ＩＤを有する携帯電話端末が非携帯電話端末と接続している間は、該ＩＤ情報に関連付けて記録されている電話帳情報を用いて該非携帯電話端末で検索を行うことを可能とする。
【００１６】
次に、本発明における電話番号検索システムでは、携帯電話端末に記録されている電話番号及び該電話番号の相手先を示す電話帳情報を用いて非携帯電話端末で電話番号を検索する電話番号検索システムにおいて、携帯電話端末と非携帯電話端末とを接続する接続手段と、接続を検出する接続検出手段と、携帯電話端末に記録されている電話帳情報を非携帯電話端末に送信する送信手段と、送信手段により送信された電話帳情報を非携帯電話端末に記録する記録手段と、非形態電話端末に記録されている電話帳情報を用いて該非携帯電話端末で電話番号の検索を行う検索手段と、検索手段で得られた電話番号を発信する発信手段とを具備する。
【００１７】
また、送信手段は、携帯電話端末に着信した電話番号の履歴を示す着信履歴情報と携帯電話端末から発信した電話番号の履歴を示す発信履歴情報をさらに送信し、記録手段は、発信履歴情報及び着信履歴情報をさらに記録し、検索手段は、非携帯電話端末に記録された電話帳情報、発信履歴情報及び着信履歴情報を用いて電話番号の検索を行う。
【００１８】
また、記録手段は、接続検出手段が携帯電話端末と非携帯電話端末との接続を検出しなくなると、該非携帯電話端末に記録されている電話帳情報を消去することを特徴とする。
【００１９】
また、非携帯電話端末に生じた着信の発信者通知番号を非携帯電話端末に記録されている電話帳情報から検索する発信者検索手段と、検索の結果を非携帯通信端末に表示する表示手段とをさらに具備する。
【００２０】
また、送信手段は、携帯電話端末を識別するＩＤ情報を該携帯電話端末から非携帯電話端末に送信し、記録手段は、ＩＤ情報に関連付けて電話帳情報を非携帯電話端末に記録し、検索手段は、接続検出手段がＩＤを有する携帯電話端末と非携帯電話端末との接続を検出すると、該ＩＤ情報に関連付けて記録されている電話帳情報を用いて該非携帯電話端末で検索を行う。
【００２１】
【発明の実施の形態】
以下、本発明に係る電話番号検索方法及びそのシステムの実施の形態を添付図面を参照して詳細に説明する。
【００２２】
図１は、本発明に係る電話番号検索システムの全体構成の一例を示す概略概念図であり、公衆電話網１０に接続する電話主装置２０、非携帯電話端末であるＩＰ電話端末３０、電話主装置２０とＩＰ電話端末３０とを接続するＬＡＮ４０、ＩＰ電話端末３０と携帯電話端末５０とを接続する携帯電話端末アダプタ６０が設けられている。
【００２３】
ここで、電話主装置２０は、電話交換機、公衆電話網１０と接続する電話機など、ＬＡＮ４０に接続するＩＰ電話端末３０と公衆電話網１０とを接続する装置である。
【００２４】
また、ＩＰ電話端末３０は、ＬＡＮ４０及び電話主装置２０を介して通話を行う非携帯電話端末であり、図２に示すように、電話帳情報を記録する電話帳メモリ３１、着信履歴情報を記録する着信履歴メモリ３２、発信履歴情報を記録する発信履歴メモリ３３、ＩＰ電話端末３０を制御する制御部３４、外部の装置と情報を交換する通信Ｉ／Ｆ（ｉｎｔｅｒｆａｃｅ）３５、通信Ｉ／Ｆ３５の接続を検出する接続検出部３６、各メモリに記録されている情報を検索する検索部３７、キーパッドなどの入力装置を用いて利用者の指示を入力する入力部３８、検索結果などを表示する表示部３９が設けられている。
【００２５】
そして、ＩＰ電話端末は、通信Ｉ／Ｆを介して情報を受信すると、受信した情報をＩＰ電話端末の電話帳メモリ、着信履歴メモリ、発信履歴メモリにそれぞれ記録する。
【００２６】
また、入力部から検索開始の指示が入力されると、メモリ検索部が起動し、表示部にメモリ検索画面を表示すると共に、検索画面に入力された条件に基づいて各メモリの検索を行い、検索の結果として得られた電話番号を利用者からの指示に応じて、ＬＡＮ、電話主装置を介して発信する。
【００２７】
さらに、ＩＰ電話端末に着信があると、制御部がメモリ検索部を起動し、電話帳メモリに記録されている情報から発信者番号に該当する情報（名前、会社名など）を検索する。そして、該当する情報を発見すると、その情報を表示器に表示する。
【００２８】
携帯電話端末５０は、携帯電話機やＰＨＳ（Ｐｅｒｓｏｎａｌ  Ｈａｎｄｙｐｈｏｎｅ  Ｓｙｓｔｅｍ）などの携帯可能な移動通信装置であり、図３に示すように、携帯電話端末５０には、電話帳情報を記録する電話帳メモリ５１、着信履歴情報を記録する着信履歴メモリ５２、発信履歴情報を記録する発信履歴メモリ５３、各メモリに記録されている情報の送信など、携帯電話端末５０を制御する制御部５４、外部の装置と情報を交換する通信Ｉ／Ｆ５５、通信Ｉ／Ｆ５５の接続を検出する接続検出部５６が設けられている。
【００２９】
そして、携帯電話端末の通信Ｉ／Ｆ接続検出部が、ＩＰ電話端末との接続を検出すると、制御部は、電話帳メモリ、着信履歴メモリ、発信履歴メモリに記録されている情報を、通信Ｉ／Ｆを介してＩＰ電話端末に送信する。
【００３０】
携帯電話端末アダプタ６０は、ＩＰ電話端末３０の通信Ｉ／Ｆと携帯電話端末５０の通信Ｉ／Ｆとを接続する装置である。
【００３１】
上記構成において、本発明に係る電話番号検索システムでは、携帯情報端末に記録されている電話帳情報、着信履歴情報、送信履歴情報をＩＰ電話端末に送信し、ＩＰ電話端末では、受信した情報を記録・保持すると共に、保持している情報を用いて電話番号の検索などを行う。
【００３２】
次に、本実施の形態における電話番号検索システムの動作について、フローチャートを用いて説明する。
【００３３】
図４は、携帯電話端末１０とＩＰ電話端末２０とが接続した際の動作を示すフローチャートである。
【００３４】
まず、携帯電話端末１０は、携帯電話端末アダプタに接続される（ステップ１００）と、携帯電話端末の通信Ｉ／Ｆ接続検出部がＩＰ電話端末２０との接続の検出し（ステップ１０１）、電話帳メモリ、着信履歴メモリ、発信履歴メモリに記録されている情報を通信Ｉ／Ｆを介してＩＰ電話端末２０に送信する（ステップ１０２）。
【００３５】
ＩＰ電話端末２０では、通信Ｉ／Ｆを介して受信した情報をＩＰ電話端末２０内の電話帳メモリ、着信履歴メモリ、発信履歴メモリに記録する（ステップ１０３）。
【００３６】
このように、本実施の形態では、携帯電話端末とＩＰ電話端末とが接続することにより、携帯電話端末に記録されている電話帳情報、着信履歴情報、発信履歴情報を携帯電話端末からＩＰ電話端末に送信し、ＩＰ電話端末では、受信した情報を記録・保持する。
【００３７】
図５は、利用者からの指示に応じて電話番号の検索を行う際のＩＰ電話端末の動作を示すフローチャートである。
【００３８】
まず、検索開始の指示が入力部から入力される（ステップ２００）と、メモリ検索部を起動し、メモリ検索画面を表示部に表示する（ステップ２０１）。
【００３９】
そして、検索条件の入力を受ける（ステップ２０２）と、電話帳メモリ、着信履歴メモリ、発信履歴メモリに記録されている各情報を検索し（ステップ２０３）、検索結果を表示部に表示する（ステップ２０４）。
【００４０】
ここで、発信指示を利用者から受ける（ステップ２０５でＹＥＳ）と、ＬＡＮ、電話主装置を介して検索結果として得られた電話番号を発信する（ステップ２０６）。
【００４１】
また、利用者から発信指示がなく（ステップ２０５でＮＯ）と、再検索の指示を受ける（ステップ２０７でＹＥＳ）と、メモリ検索画面を表示部に表示する（ステップ２０１）。
【００４２】
このように本実施の形態では、ＩＰ電話端末に記録されている電話帳情報、着信履歴情報、発信履歴情報を用いて、ＩＰ電話端末で電話番号の検索を行う。
【００４３】
図６は、ＩＰ電話端末に着信した電話番号の検索を行う際のＩＰ電話端末の動作を示すフローチャートである。
【００４４】
まず、着信が生じる（ステップ３００）と、メモリ検索部を起動し、発信者番号に該当する情報を電話帳メモリに記録されている情報から検索する（ステップ３０１）。
【００４５】
そして、該当する情報を発見する（ステップ３０２でＹＥＳ）と、相手先を表示部に表示する（ステップ３０３）。
【００４６】
また、発信者番号が非通知である場合や発信者番号に該当する情報が発見されない場合（ステップ３０２でＮＯ）は、発信者が不明である旨を検索結果として表示部に表示する（ステップ３０４）。
【００４７】
なお、発信者が不明である場合は、発信者番号を表示部に表示しても良い。
【００４８】
このように本実施の形態では、ＩＰ電話端末に着信した発信者番号の検索をＩＰ電話端末に記録されている電話帳情報を用いて行う。
図７は、携帯電話端末とＩＰ電話端末との接続が切断された際のＩＰ電話端末の動作を示すフローチャートである。
【００４９】
まず、携帯電話端末が携帯電話端末アダプタからはずされるなど、携帯電話端末との接続が切断される（ステップ４００）と、ＩＰ電話端末の通信Ｉ／Ｆ接続検出部がＩＰ電話端末との接続の切断を検出する（ステップ４０１）。
【００５０】
そして、ＩＰ電話端末との接続の切断が検出されると、電話帳メモリ、着信履歴メモリ、発信履歴メモリに記録されている情報を消去する（ステップ４０２）。
【００５１】
このように本実施の形態では、携帯電話端末とＩＰ電話端末との接続が切断されることにより、ＩＰ電話端末に記録・保持されている携帯電話端末の電話帳情報、着信履歴情報、発信履歴情報がＩＰ電話端末から消去される。
【００５２】
なお、本実施の形態では、非携帯電話端末として、ＩＰ電話端末を用いているが、非携帯電話端末は、ＩＰ電話端末に限られるものではなく、例えば、電話主装置と電話線を介して接続する電話端末でも良い。
【００５３】
また、電話主装置を介することなく電話網と接続する電話機、例えば、家庭などに設置されている固定電話などを非携帯電話端末として用いても良い。
【００５４】
さらに、本実施の形態では、電話帳情報、着信履歴情報、発信履歴情報を、それぞれ電話帳メモリ、着信履歴メモリ、発信履歴メモリに記録しているが、複数のメモリを設けることなく、１のメモリに記録しても良い。
【００５５】
このように本実施の形態では、携帯電話端末に記録されている電話帳情報を全て非携帯電話端末に転送するため、希望する相手先の検索を非携帯電話端末で自由に行うことが可能となる。
【００５６】
また、電話帳情報に加えて発信履歴や着信履歴を携帯電話端末から非携帯電話端末に転送することにより、非携帯電話端末から発信履歴や着信履歴に記録されている相手先への発信が可能となり、さらに、電話帳情報に発信履歴や着信履歴を加えた情報の中から希望する相手先の検索を非携帯電話端末で自由に行うことが可能となる。
【００５７】
加えて、携帯電話端末と非携帯電話端末との接続が切断されると非携帯電話端末に記録されている携帯電話端末の情報が消去されるため、複数の人が共用する非携帯電話端末であっても、他の人に利用される恐れなく、自らの電話帳情報等を非携帯電話端末で利用することができる。
【００５８】
上記実施の形態では、携帯電話端末と非携帯電話端末との接続が切断されると、非携帯電話端末に記録されている携帯電話端末の情報を消去しているが、情報を携帯電話端末に関連付けて記録すると共に、接続が切断されても情報を消去することなく保持し、非携帯電話端末に接続されている携帯電話端末に関連付けて記録された情報のみを非携帯電話端末で利用することを可能としても良く、以下、図面を用いて説明する。
【００５９】
図８は、携帯電話端末とＩＰ電話端末とが接続した際の動作を示すフローチャートである。
【００６０】
携帯電話端末１０とＩＰ電話端末２０とが接続した際の動作を示すフローチャートである。
【００６１】
まず、携帯電話端末１０は、携帯電話端末アダプタに接続される（ステップ５００）と、携帯電話端末の通信Ｉ／Ｆ接続検出部がＩＰ電話端末２０との接続を検出し（ステップ５０１）、電話帳メモリ、着信履歴メモリ、発信履歴メモリに記録されている情報、及び携帯通信端末を識別するＩＤ情報を、通信Ｉ／Ｆを介してＩＰ電話端末２０に送信する（ステップ５０２）。
【００６２】
ＩＰ電話端末２０では、通信Ｉ／Ｆを介して受信したＩＤ情報に関連付けて記録された電話帳情報があるかの判断を行い（ステップ５０３）、ＩＤ情報に関連付けて記録された電話帳情報がないと判断する（ステップ５０３でＮＯ）と、ＩＤ情報に関連付けて電話帳情報を電話帳メモリに記録すると共に、着信履歴情報、発信履歴情報をそれぞれ着信履歴メモリ、発信履歴メモリに記録（ステップ５０４）し、電話帳情報、着信履歴情報、発信履歴情報へのアクセスを許可する（ステップ５０５）。
【００６３】
一方、ＩＤ情報に関連付けて記録された電話帳情報があると判断する（ステップ５０３でＹＥＳ）と、携帯電話端末から受信した電話帳情報とＩＰ電話端末に記録されている電話帳情報とを比較し、電話帳情報に追加された情報があるかの判断を行う（ステップ５０６）。
【００６４】
そして、追加情報があると判断する（ステップ５０６でＹＥＳ）と、追加された情報をＩＤ情報に関連付けて記録された電話帳情報に追加すると共に、着信履歴情報、発信履歴情報をそれぞれ着信履歴メモリ、発信履歴メモリに記録して情報を更新し（ステップ５０７）、電話帳情報、着信履歴情報、発信履歴情報へのアクセスを許可する（ステップ５０５）。
【００６５】
また、追加情報がないと判断する（ステップ５０６でＮＯ）と、着信履歴情報、発信履歴情報をそれぞれ着信履歴メモリ、発信履歴メモリに記録し（ステップ５０８）、電話帳情報、着信履歴情報、発信履歴情報へのアクセスを許可する（ステップ５０５）。
【００６６】
このように、本実施の形態では、携帯電話端末とＩＰ電話端末とが接続することにより、携帯電話端末のＩＤに関連付けて記録されている電話帳情報へのアクセスを許可すると共に、着信履歴情報、発信履歴情報をＩＰ電話端末に記録する。
【００６７】
図９は、携帯電話端末とＩＰ電話端末との接続が切断された際のＩＰ電話端末の動作を示すフローチャートである。
【００６８】
まず、携帯電話端末が携帯電話端末アダプタからはずされるなど、携帯電話端末との接続が切断される（ステップ６００）と、ＩＰ電話端末の通信Ｉ／Ｆ接続検出部がＩＰ電話端末との接続の切断を検出する（ステップ６０１）。
【００６９】
そして、ＩＰ電話端末との接続の切断が検出されると、着信履歴メモリ、発信履歴メモリに記録されている情報を消去し（ステップ６０２）、電話帳メモリに記録されている情報へのアクセスが禁止される（ステップ６０３）。
【００７０】
なお、ＩＤ情報は、各携帯電話端末を識別することが可能な情報であれば良く、例えば、携帯電話端末のシリアルナンバや電話番号などを利用することができる。
【００７１】
このように本実施の形態では、携帯電話端末とＩＰ電話端末との接続が切断されることにより、ＩＰ電話端末に記録されている着信履歴情報、発信履歴情報を消去すると共に、電話帳情報へのアクセスを禁止するため、ＩＰ電話端末に記録されている他の人の電話帳情報を用いた検索を防止することができる。
【００７２】
また、ＩＰ電話端末の電話帳情報には、携帯電話端末の電話帳情報に追加された情報の追加を行うため、携帯電話端末で失われた電話帳情報を利用することもできる。
【００７３】
さらに、着信履歴や送信履歴のみに記録されている情報は、長期的に考えると検索結果に反映される情報である可能性は少なく、携帯電話端末とＩＰ電話端末との接続が切断されることに伴って消去することにより、利用可能性が低い情報がＩＰ電話端末に多量に記録されることを防止することができる。
【００７４】
【発明の効果】
本発明では、携帯電話端末に記録されている情報から希望する相手先の電話番号を非携帯電話端末で自由に検索することが可能となる。
【図面の簡単な説明】
【図１】本発明に係る電話番号検索システムの全体構成の一例を示す概略概念図
【図２】本実施の形態におけるＩＰ電話端末の構成を示す概略ブロック図
【図３】本実施の形態における携帯電話端末の構成を示す概略ブロック図
【図４】携帯電話端末とＩＰ電話端末とが接続した際の動作を示すフローチャート
【図５】利用者からの指示に応じて電話番号の検索を行うＩＰ電話端末の動作を示すフローチャート
【図６】ＩＰ電話端末に着信した電話番号の検索を行うＩＰ電話端末の動作を示すフローチャート
【図７】携帯電話端末とＩＰ電話端末との接続が切断された際の動作を示すフローチャート
【図８】携帯電話端末とＩＰ電話端末とが接続した際の動作を示すフローチャート
【図９】携帯電話端末とＩＰ電話端末との接続が切断された際の動作を示すフローチャート
【符号の説明】
１０…公衆電話網
２０…電話主装置
３０…電話端末
３１、５１…電話帳メモリ
３２、５２…着信履歴メモリ
３３、５３…発信履歴メモリ
３４、５４…制御部
３６、５６…接続検出部
３７…検索部
３８…入力部
３９…表示部
５０…携帯電話端末
６０…携帯電話端末アダプタ
【図１】
2004328371.tif 000003
【図２】
2004328371.tif 000004
【図３】
2004328371.tif 000005
【図４】
2004328371.tif 000006
【図５】
2004328371.tif 000007
【図６】
2004328371.tif 000008
【図７】
2004328371.tif 000009
【図８】
2004328371.tif 000010
【図９】
2004328371.tif 000011